(57)【要約】      （修正有）【課題】筒状布部材の開口縁部を安定して留めることのできる筒状布部材留め具を提供する。【解決手段】筒状布部材留め具１は、頭部３３と首部３４とからなる係合凸部３２を有するベロ３０と、頭部３３及び首部３４が通過可能な挿入用幅広穴１３ａと、首部３４のみが通過可能な係止用幅狭穴とから構成される、係合凸部３２を係止するための係止用穴１３を備えるカン１０と、カン１０と一体に設置された、開閉軸と平行な横方向に延在する横紐が滑らないように留めるための横紐留め部２０であって、カン１０の長手方向に平行に延在する第一縦桿２１、第二縦桿２２及び第三縦桿２３を有し、第一縦桿２１と第二縦桿２２との間に第一横紐挿通穴２４ａが形成され、第二縦桿２２と第三縦桿２３との間に第二横紐挿通穴２４ｂが形成された横紐留め部２０と、を備える。【選択図】図１
2017000557.tif 000002
【特許請求の範囲】
【請求項１】
ヒンジ構造により開閉可能に連結されたカンと可撓性ベロとを備え、前記カンと前記ベロとの間に筒状布部材の開口縁部を挟持する筒状布部材留め具において、
前記ベロは、頭部と首部とを有する、前記カンに係止される係合凸部を備え、
前記カンは、挿入される前記係合凸部を係止するための係止用穴であって、前記ヒンジ構造の開閉軸に垂直な長手方向に連続してつながって形成された、前記頭部及び前記首部が通過可能な挿入用幅広穴と、前記首部のみが通過可能な係止用幅狭穴と、から構成される係止用穴を備え、
さらに、前記カンと一体に設置された、前記開閉軸と平行な横方向に延在する横紐が滑らないように留めるための横紐留め部であって、前記カンの長手方向に平行に延在する第一縦桿、第二縦桿及び第三縦桿を有し、前記第一縦桿と前記第二縦桿との間に第一横紐挿通穴が形成され、前記第二縦桿と前記第三縦桿との間に第二横紐挿通穴が形成された横紐留め部を備えることを特徴とする筒状布部材留め具。
【請求項２】
前記横紐留め部は、前記ヒンジ軸よりも開閉先端側に位置することを特徴とする請求項１記載の筒状布部材留め具。
【請求項３】
人体に装着された筒状布部材がずれるのを防止する筒状布部材開口締結具であって、
環状のベルトと、
前記ベルトが前記第一横紐挿通穴及び前記第二横紐挿通穴に順次通されることで、前記ベルトの所定の箇所に少なくとも1個設置された請求項１記載の筒状布部材留め具と、
を備えることを特徴とする筒状布部材開口締結具。
【発明の詳細な説明】
【技術分野】
【０００１】
本発明は、脚に装着された長靴下等の筒状布部材の縁部を挟んで留めるための筒状布部材留め具に関する。
【背景技術】
【０００２】
従来から、脚に装着されたガーターストッキング等の長靴下がずり落ちるのを防ぐために、長靴下の上端開口の縁部を挟んで吊り上げるガーターベルト等の長靴下吊り具が提供されており、例えば、下記特許文献１に開示されている。
【０００３】
特許文献１に開示された長靴下吊り具では、長靴下の上端を挟んで留めるための長靴下留め具としてガーターボストン（係止具９）が採用されている。また、下記特許文献２にも長靴下留め具が開示されている。
【先行技術文献】
【特許文献】
【０００４】
【特許文献１】特開２００３−２２７００３号公報
【特許文献２】特開２００３−１９３３１５号公報
【発明の概要】
【発明が解決しようとする課題】
【０００５】
しかし、従来の長靴下留め具は、長靴下を吊り上げるために、長靴下の上端を挟んで留めるだけの構造であるため、長靴下と長靴下留め具とが滑ってずれると、留め具が完全に外れてしまい、安定的に吊り上げるのが困難であった。
【０００６】
本発明は、このような課題に鑑みてなされたものであり、筒状布部材の開口縁部を安定して留めることのできる筒状布部材留め具を提供することを目的とする。
【課題を解決するための手段】
【０００７】
上記課題を解決するための本発明に係る筒状布部材留め具は、ヒンジ構造により開閉可能に連結されたカンと可撓性ベロとを備え、前記カンと前記ベロとの間に筒状布部材の開口縁部を挟持する筒状布部材留め具において、前記ベロは、頭部と首部とを有する、前記カンに係止される係合凸部を備え、前記カンは、挿入される前記係合凸部を係止するための係止用穴であって、前記ヒンジ構造の開閉軸に垂直な長手方向に連続してつながって形成された、前記頭部及び前記首部が通過可能な挿入用幅広穴と、前記首部のみが通過可能な係止用幅狭穴と、から構成される係止用穴を備え、さらに、前記カンと一体に設置された、前記開閉軸と平行な横方向に延在する横紐が滑らないように留めるための横紐留め部であって、前記カンの長手方向に平行に延在する第一縦桿、第二縦桿及び第三縦桿を有し、前記第一縦桿と前記第二縦桿との間に第一横紐挿通穴が形成され、前記第二縦桿と前記第三縦桿との間に第二横紐挿通穴が形成された横紐留め部を備えることを特徴とする。
【０００８】
また、本発明に係る筒状布部材開口締結具は、人体に装着された筒状布部材がずれるのを防止する筒状布部材開口締結具であって、環状のベルトと、前記ベルトが前記第一横紐挿通穴及び前記第二横紐挿通穴に順次通されることで、前記ベルトの所定の箇所に少なくとも1個設置された上記筒状布部材留め具と、を備えることを特徴とする。
【発明の効果】
【０００９】
本発明に係る筒状布部材留め具によれば、横紐留め部に横紐を通すことで、筒状布部材の開口縁部を安定して留めることができる。
【図面の簡単な説明】
【００１０】
【図１】図１は、本発明の実施形態に係るガーターボストンの斜視図である。
【図２】図２は、本発明の実施形態に係るガーターボストンの側面図である。
【図３】図３は、本発明の実施形態に係るガーターボストンの使用態様を示す斜視図である。
【図４】図４は、本発明の実施形態に係るガーターストッキング締付具の斜視図である。
【図５】図５は、本発明の実施形態に係るガーターストッキング締結具の装着状態を示す斜視図である。
【図６】図６は、本発明の実施形態の変形例に係るガーターボストンの斜視図である。
【図７】図７は、本発明の実施形態の変形例に係るガーターボストンの斜視図である。
【発明を実施するための形態】
【００１１】
以下、図面を参照しながら本発明の実施形態について説明する。本実施形態では、筒状布部材留め具として、脚に装着されたガーターストッキングがずり落ちるのを防ぐために、ガーターストッキングの上端開口を留めるガーターボストンについて説明する。図１は、本実施形態に係るガーターボストンの開いた状態の斜視図である。図２は、本実施形態に係るガーターボストンの閉じた状態の側面図である。図３は、本実施形態に係るガーターボストンの使用態様を示す斜視図である。
【００１２】
ガーターボストン１は、ヒンジ構造によって連結されたカン１０とベロ３０とを備え、カン１０とベロ３０とが重なり合った閉じた状態と所定の角度で開いた状態との間で開閉自在である。なお、本実施形態では、カン１０の長手方向を縦方向、ヒンジ構造の開閉軸（回動軸）方向を横方向とし、縦方向において、開閉軸側を根元側、開閉先端側を先端側とする。
【００１３】
カン１０は、周枠１１と、横棹１２と、ヒンジ軸１４と、横紐留め部２０とを備えている。周枠１１の内部には、周枠１１と横棹１２とにより囲まれた、後述するベロ３０の係合凸部３２を係止するための係止用穴１３が形成されている。係止用穴１３は、根元側に位置する挿入用幅広穴１３ａと、先端側に位置する係止用幅狭穴１３ｂとから構成されており、両者は連続してつながって一つの穴（係止用穴１３）を構成している。
【００１４】
ヒンジ軸１４は、横棹１２の根元側において、周枠１１に対して横方向に一体に設置された棒状部材である。横棹１２と、ヒンジ軸１４と、周枠１１の根元部分とによって囲まれた二つの穴は、後述するベロ３０のヒンジ部３７が係合するヒンジ用穴１５として機能する。なお、周枠１１、横棹１２及びヒンジ軸１４は、金属製であり、一体に形成されている。
【００１５】
横紐留め部２０は、ガーターボストン１の横方向に延在するゴム紐８が摩擦により簡単には滑らないように留めることで、ゴム紐８をスライド可能に固定するための部材である。横紐留め部２０は、ガーターボストン１の縦方向に延在する、第一縦桿２１、第二縦桿２２及び第三縦桿２３を備えている。本実施形態では、横紐留め部２０として、周枠１１等に接着剤で接着固定したエイトカン２５を使用している。周枠１１等に接着固定されたエイトカン２５の第一縦桿２１及び第三縦桿２３は、周枠１１と一体となる。
【００１６】
第一縦桿２１と第二縦桿２２との間には、ゴム紐８を横方向に通すための第一紐挿通穴２４ａが形成され、第二縦桿２２と第三縦桿２３との間には、ゴム紐８を横方向に通すための第二紐挿通穴２４ｂが形成されている。
【００１７】
よって、横方向に延在するゴム紐８を第一挿通穴２４ａ及び第二挿通穴２４ｂに通すと、ゴム紐８は、横紐留め部２０と三箇所（第一縦桿２１、第二縦桿２２、第三縦桿２３）で接触して摩擦力が作用するため、横方向に移動し難く、カン１０に対して簡単には滑らないように留めて固定することができる。
【００１８】
ベロ３０は、カン１０と略同じ大きさの樹脂製の部材であり、可撓性の帯状片３１と、帯状片３１の先端近傍のカン１０側の面上に形成された係合凸部３２と、帯状片３１の根元部分に形成されたヒンジ部３７とを備えている。
【００１９】
係合凸部３２は、カン１０の係止用穴１３に挿入されて係合する部分であり、先端側に位置する略円筒状で大径の頭部３３と、根元側（帯状片３１側）に位置する略円筒状で小径の首部３４とを備えている。頭部３３は、カン１０の挿入用幅広穴１３ａを通過可能であるが、係止用幅狭穴１３ｂを通過できない形状・サイズであり、首部３４は、挿入用幅広穴１３ａ及び係止用幅狭穴１３ｂの双方を通過できる形状・サイズである。
【００２０】
ヒンジ部３７は、ヒンジ構造を実現するために、ベロ３０の根元の折返し部３９で折り返された部分であり、根元側端部に形成された突起である返し爪３８を備えている。カン１０とベロ３０とを連結する際には、ヒンジ部３７がヒンジ用穴１５ａに通された後に、端部の返し爪３８がヒンジ用穴１５ｂに挿入され、ヒンジ部３７がカン１０に対して抜けないように係止される。
【００２１】
これにより、ベロ３０の根元部分のヒンジ部３７が、カン１０の根元部分のヒンジ軸１４の回りを周回して固定される。ここで、ヒンジ部３７の折返し部３９は、他の帯状片３１の部分よりも厚みが薄くなっており、ヒンジ軸１４近傍の折返し部３９を開閉軸（回動軸）として、ベロ３０はカン１０に対して開閉自在となる。すなわち、ベロ３０がカン１０に対してヒンジ構造により連結される（図１及び図２参照）。
【００２２】
このように、ヒンジ構造により連結されたカン１０とベロ３０とは、ベロ３０の係合凸部３２をカン１０の係止用穴１３に挿入して係止させることで、カン１０に対してベロ３０を閉じた状態で固定することができる。閉じる際に、カン１０とベロ３０との間にガーターストッキングの上端開口の縁部を挟んでおくことで、ガーターストッキングの上端にガーターボストン１を留めることができる（図３参照）。
【００２３】
係合凸部３２を係止用穴１３に挿入する際には、ベロ３０を湾曲させながら係合凸部３２を根元側に移動させ、カン１０の挿入用幅広穴１３ａに頭部３３を斜めに挿入する。頭部３３は、係止用幅狭穴１３ｂ内には侵入できないが、首部３４まで挿入用幅広穴１３ａに挿入されると、首部３４は係止用幅狭穴１３ｂ内に進入できる。
【００２４】
このとき、頭部３３は、係止用穴１３を通り抜けてカン１０の反対側に飛び出している。よって、首部３４が係止用幅狭穴１３ｂ内に位置する状態で、係合凸部３２をカン１０の先端側にスライドさせると、係合凸部３２が係止用幅狭穴１３ｂの先端付近まで移動することができる。
【００２５】
係合凸部３２が係止用幅狭穴１３ｂの先端付近まで移動すると、係止用幅狭穴１３ｂ周囲の周枠１１が頭部３３と帯状片３１との間に挟まれており、係合凸部３２は、スライド方向のみに移動することができ、挿入用幅広穴１３ａまで移動しない限り、係止用穴１３から抜けることはない。
【００２６】
一方、このように閉じた状態で係止されたガーターストッキング７を開く際には、係合凸部３２を係止用幅広穴１３ａまでスライドさせれば、係止用穴１３を貫通した頭部３３を抜くことができる。これにより、係止状態が解除され、ガーターストッキング７を開くことができる。
【００２７】
以上、ガーターボストン１の構成について説明したが、続いて、ガーターボストン１の使用態様について説明する。従来のガーターボストンは、腰回りに装着されたガーターベルトから吊り下げられた状態で、脚に装着されたガーターストッキングの上端開口を留めることで、ガーターストッキングを吊り上げるように使用される。
【００２８】
これに対して、本実施形態に係るガーターボストン１は、図３に示すように、ガーターストッキング７の上端を留めるだけでなく、横紐留め部２０によって、ガーターボストン１に対して横方向に延在するゴム紐８をさらに留めることができる。なお、ガーターボストン１を装着する際には、ベロ３０が内側（脚側）、カン１０が外側に位置するように設置される。
【００２９】
よって、ガーターボストン１を用いれば、脚に装着されたガーターストッキング７が落ちないように、縦方向に吊り上げるだけでなく、ガーターボストン１の横紐留め部２０において横方向に通されたゴム紐８によってもガーターストッキング７の上端開口を脚に対して押さえ付けることができ、ガーターストッキング７のずり下がりを確実に防止することができる。
【００３０】
ここで、ガーターストッキング７は、ガーターボストン１のカン１０とベロ３０との間に挟まれて挟持されるため、ガーターボストン１に挟持されたガーターストッキング７は、その開閉軸となるベロ３０の折返し部３９（ヒンジ軸１４）よりも先端側に位置する。また、通常、しっかりと挟持するために、ガーターストッキング７の上端開口がカン１０とベロ３０の最奥部付近まで入れられた状態で挟持される（図３参照）。
【００３１】
一方、横紐留め部２０は、カン１０側において、ガーターボストン１の折返し部３９よりも先端側に設置されているため、横紐留め部２０によって留められるゴム紐８は、カン１０とベロ３０との間に挟まれたガーターストッキング７と重なる位置で留められている。
【００３２】
そして、ゴム紐８は、カン１０の内側（ベロ３０側）を通るように横紐留め部２０に通される。よって、装着の際、ゴム紐８とガーターストッキング７とが直接接することになり、装着後にガーターボストン１がずれたりするのを防ぎ、ガーターストッキング７をしっかりと固定することができます。
【００３３】
続いて、ガーターボストン１を使ったガーターストッキング７を締め付けるための締付具について説明する。図４は、ガーターストッキング締付具の斜視図である。ガーターストッキング締付具５は、環状の弾性ベルト５０と、弾性ベルト５０の所定の4箇所に設置された4個のガーターボストン１とを備えている。弾性ベルト５０は、ゴム帯紐５１と、ゴム帯紐５１の全長を調節するための長さ調節部材５２と、ゴム帯紐５１の両端の着脱を行う着脱留め具５４とを備えている。
【００３４】
長さ調節部材５２は、エイトカンであり、長さ調節部材５２に対してスライド可能なゴム帯紐５１の固定場所を変えることで、ゴム帯紐５１の折り返されて二重になった部分５１ａの長さを調節することができ、ガーターストッキング締結具５の全長を調節することができる。
【００３５】
着脱留め具５４は、プラスチックホックであり、ゴム帯紐５１の両端に設置された2個の鉤形ホックから構成されている。ガーターストッキング締結具５をガーターストッキング７の上から脚に装着する際には、着脱留め具５４でゴム帯紐５１の両端を接続して留めることで輪状のガーターストッキング締結具５を構成し、脚から外す際には、着脱留め具５４を外せば良い。
【００３６】
ゴム帯紐５１は、4個のガーターボストン１の横紐留め部２０に通されており、ゴム帯紐５１の所定の箇所にガーターボストン１が位置するように、固定位置が調整されている。ガーターボストン１の横紐留め部２０に対してゴム帯紐５１をスライドさせることで、後から固定位置を適宜変更することも可能である。なお、ガーターボストン１の個数は適宜変更可能であり、小径の開口であれば、1個であっても良い。
【００３７】
図５は、本実施形態に係るガーターストッキング締結具の装着状態を示す図である。同図に示すように、ガーターストッキング締結具５は、脚に装着されたガーターストッキング７がずり落ちるのを防ぐために、ガーターストッキング７の上端開口の所に装着される。
【００３８】
装着時には、ガーターベルト等の吊り紐９に接続されたガーターボストン１のカン１０とベロ３０の間にガーターストッキング７を挟み込むと共に、着脱留め具５４を接続する。そうすると、従来のようにガーターストッキング７の上端開口を吊り上げることができると共に、ゴム帯紐５の弾性力によってガーターストッキング７の上端開口部分を締め付けて脚に対して押さえ付けることができ、ガーターストッキング７がずり落ちないようにしっかりと脚に装着することができる。
【００３９】
また、ガーターストッキング締付具５によれば、ガーターベルト等でガーターボストン１を吊り上げない場合であっても、弾性ベルト５０の弾性力によってガーターストッキング７の開口縁部を締め付けることできる。また、弾性ベルト５０は、ガーターボストン１によってガーターストッキング７の開口縁部にずれないように固定されている。よって、ガーターストッキング締結具５によれば、単体でもガーターストッキング７がずれるのを防止することができる。
【００４０】
なお、本実施形態では、横紐留め部２０に通される横紐として、ゴム帯紐５１を採用しているが、横紐としては、ゴム製等の弾性ベルトに限らず、エナメル製のベルト等、適宜他の素材の紐を採用することができる。
【００４１】
続いて、本実施形態の変形例について説明する。図６は、本変形例に係るガーターボストン１’の斜視図である。本変形例では、カン１０’の構成が上記実施形態と異なっており、主として異なる構成について説明する。
【００４２】
本変形例に係るカン１０’では、横紐留め部２０’が周枠１１と一体に成形されている。横棹１２よりも先端側の位置に第二横棹２６が形成されると共に、横棹１２と第二横棹２６とを縦方向に中心で結ぶように第二縦桿２２’が形成されている。また、第一縦桿２１’及び第三縦桿２３’は、周枠１１が兼用されている。
【００４３】
このように、第一縦桿２１’と第二縦桿２２’との間には、ゴム紐を横方向に通すための第一紐挿通穴２４’ａが形成され、第二縦桿２２’と第三縦桿２３’との間には、ゴム紐を横方向に通すための第二紐挿通穴２４’ｂが形成されており、これらが、上記実施形態の横紐留め部２０と同様に、横紐留め部２０’として機能する。
【００４４】
なお、第二横桿２６の形状は適宜変更可能であり、図７に示すような略波形の形状（第二横桿２６’）としても良い。図７は、本変形例に係るガーターボストン１’’の斜視図である。以上、本変形例によれば、上記実施形態と同様の作用効果を奏すると共に、上記実施形態と比べて構造がシンプルであり、量産コストを下げることができる。
【００４５】
以上、変形例も含めて本発明の実施形態について説明したが、本発明の実施の形態は上記実施形態に限定されるものではなく、本発明の主旨を逸脱しない範囲内で種々の変形が可能である。例えば、ガーターボストンを構成する部材のサイズや形状等は適宜変更可能である。
【００４６】
また、上記実施形態では、ベロとカンとを別材料から別体に構成したが、合成樹脂等の同じ材料から一体に成形しても良い。
【００４７】
また、上記実施形態では、筒状布部材留め具であるガーターボストンによって留める対象として、脚に装着されたガーターストッキングを例に挙げて説明したが、開口を有する筒状布部材であれば、ガーターストッキング等の長靴下に限らず、適宜本発明に係る筒状布部材留め具で留めることができる。
【００４８】
例えば、本発明者が特開２０１０−１５４９９４号公報で開示した筒状布部材であるおむつ用陰茎固定具の開口を留めるためにも、本発明に係る筒状布部材留め具を用いることができる。
【符号の説明】
【００４９】
１    ガーターボストン
１０  カン
１１  周枠
１２  横棹
１３  係止用穴
１４  ヒンジ軸
１５  ヒンジ用穴
２０  横紐留め部
２１  第一縦桿
２２  第二縦桿
２３  第三縦桿
２４  紐挿通穴
２５  エイトカン
３０  ベロ
３１  帯状片
３２  係合凸部
３３  頭部
３４  首部
３７  ヒンジ部
３８  返し爪
３９  折返し部
５    ガーターストッキング締結具
５０  弾性ベルト
５１  ゴム帯紐
５２  長さ調節部材
５４  着脱留め具
７    ガーターストッキング
８    ゴム紐
９    吊り紐
【図１】
2017000557.tif 000003
【図２】
2017000557.tif 000004
【図３】
2017000557.tif 000005
【図４】
2017000557.tif 000006
【図５】
2017000557.tif 000007
【図６】
2017000557.tif 000008
【図７】
2017000557.tif 000009